(57)【要約】【課題】  本発明は、飲料、たとえば、ビールを含む酒類、ジュース類、お茶類（コーヒー、日本茶、その他の国のお茶も含む）、水、炭酸ガス入りの飲料等を入れるステイオンタブを備えた缶に関するものである。【解決手段】  本発明のステイオンタブを備えた缶は、飲料用に使用されるとともに、缶を開けた後であっても、ステイオンタブが分離しないタイプのものである。前記缶の缶体は、たとえば、ツーピースまたはスリーピースから構成されている飲料用として、普通のものである。また、前記上部には、プレスの下死点制御によって成形された第２の溝部があり、前記缶の上部には、ステイオンタブを引き上げることにより、前記第２の溝部に沿って第２の開口部が形成され、空気を入れることができる。その後、前記ステイオンタブは、ほぼ１８０度回動させてから、引き上げることで、第１の溝部に沿って囲まれた第１の開口部が開き、飲料の出口となる。【選択図】    図１
2007062758.tif 000002
【特許請求の範囲】
【請求項１】
飲料用に使用されるステイオンタブを備えた缶において、
ツーピースまたはスリーピースから構成された缶体と、
前記缶体の上部に設けられた第１の開口部を得るための第１の溝部と、
前記上部に設けられ、前記第１の開口部と対向する位置で大きさの小さい第２の開口部を得るための第２の溝部と、
前記第１の開口部および第２の開口部となる位置のほぼ中間に、一端を回動自在に固着されているとともに、前記一端近傍に前記第１の開口部および第２の開口部を開ける押圧部を備えたタブと、
から少なくとも構成されていることを特徴とするステイオンタブを備えた缶。
【請求項２】
飲料用に使用されるステイオンタブを備えた缶において、
ツーピースまたはスリーピースから構成された缶体と、
前記缶体の上部に設けられた第１の開口部を得るための第１の溝部と、
前記上部に設けられ、前記第１の開口部と対向する位置で大きさの小さい第２の開口部を得るための第２の溝部と、
前記上部に設けられ、前記第２の開口部のほぼ中央部に設けられた第３の溝部と、
前記第１の開口部および第２の開口部となる位置のほぼ中間に、一端を回動自在に固着されているとともに、前記一端近傍に前記第１の開口部および第２の開口部を開ける押圧部を備えたタブと、
から少なくとも構成されていることを特徴とするステイオンタブを備えた缶。
【発明の詳細な説明】
【技術分野】
【０００１】
本発明は、飲料、たとえば、ビールを含む酒類、ジュース類、お茶類（コーヒー、日本茶、その他の国のお茶も含む）、水、炭酸ガス入りの飲料等を入れるステイオンタブを備えた缶に関するものである。特に、本発明は、環境の汚染を防止するために、近年普及が著しいタブが分離しないステイオンタブを備えた缶に関するものである。
【背景技術】
【０００２】
特開２００３−１２０４９号公報に記載された飲用容器の飲用制御構造は、ビール、炭酸ガス入り飲料、および通常の飲料における本来の旨味を引き出すことができるものであり、ステイオンタブ式ビール缶の蓋に、開口部の一部を覆う飲用制御部が設けられている。前記制御部は、空気の流入を制御することにより、前記飲料の旨味を引き出すようにしている。その他に、ステイオンタブ式の缶は、清潔状態を保持するためのシール構造体を備えた特開平１０−２１４０２７号公報等がある。
【０００３】
また、本出願人が開発した特願２００４−３５２９５２号にかかるステイオンタブ式の缶がある。図４（イ）および（ロ）は本出願人が開発したステイオンタブを備えたビール缶を説明するためのもので、（イ）は正面図、（ロ）は平面図である。図４（イ）および（ロ）において、ビール缶４１は、たとえば、ツーピースからなり、底部４１１から一体になった筒部４１１′と、前記筒部４１１′を塞ぐ上部に設けられた上面部４１２と、その周囲に設けられたリブ４１３とがら構成されている。前記リブ４１３は、通常の缶と比較して高さが高くなっており、たとえば、８ｍｍから１０ｍｍにしている。前記リブ４１３の高さは、ビールを飲む際に、口当たりがマグカップのようであり、ビールの昧を倍加する。
【０００４】
ステイオンタブ４１４は、第１の開口部４１８のほぼ中央部（開口されていない領域）に固着されている。また、前記第１の開口部４１８は、プレスの下死点制御により、第１の溝部４１７が設けられ、前記ステイオンタブ４１４を引き上げることにより、前記第１の溝部４１７に沿って成形される。さらに、前記ステイオンタブ４１４は、指によって引き上げる部分の下に、たとえば、三角錐状で下向きの凸起部４１５が設けられている。前記凸起部４１５は、前記ステイオンタブ４１４の凸起部４１５を押し下げることにより、ビール缶４１の上面部４１２に設けられた第２の溝部４１９に沿って第２の開口部を開けることができる。前記凸起部４１５によってできる第２の開口部は、第２の溝部４１９に沿った隙間のようなものである。
【０００５】
前記ステイオンタブ４１４は、前記リブ４１３より低く、ビール缶４１を開ける際に都合のよい高さであり、たとえば、６ｍｍから８ｍｍ程度の場合、都合が良かった。前記凸起部４１５は、三角錐状以外の凸起にすることもできる。三角錐の凸起部４１５は、前記第２の開口部を適度の大きさにすることができるため、ビールの溢れもなく、都合が良かった。前記第１の溝部４１７の作製は、通常の下死点制御を用いたプレス加工で行うことができる。
【特許文献１】特開２００３−１２０４９号公報
【特許文献２】特開平１０−２１４０２７号公報
【特許文献３】特願２００４−３５２９５２号
【発明の開示】
【発明が解決しようとする課題】
【０００６】
前記従来のステイオンタブを備えた缶は、開口部を開けた直後、空気が缶内に入っていないため、飲料の出方に不自然さがあった。また、前記本出願人が開発した缶は、飲料の出方が自然である、リブの高さが高いため、飲み易い、タブに指が入り易いため、道具を使用しないで開けることができるという利点があった。しかし、前記本出願人の開発した缶は、リブを高くしたり、あるいは空気を入れるための開口部を作製する凸起部が必要であり、従来と異なる金型や手間がかかり、高価になるといった問題があった。また、前記缶は、輸送中に前記凸起部により開口部を傷つけ、飲料が出てしまうといった問題があった。
【０００７】
以上のような課題を解決するために、本発明は、缶内の飲料が自然に出ることにより、飲み易いステイオンタブを備えた缶を提供することを目的とする。また、本発明は、缶を作製する金型の形状を単純にして安価なステイオンタブを備えた缶を提供することを目的とする。本発明は、輸送中に開口部に傷を付けて飲料が出るということがないステイオンタブを備えた缶を提供することを目的とする。
【課題を解決するための手段】
【０００８】
（第１発明）
第１発明のステイオンタブを備えた缶は、飲料用に使用されるものであり、ツーピースまたはスリーピースから構成された缶体と、前記缶体の上部に設けられた第１の開口部を得るための第１の溝部と、前記上部に設けられ、前記第１の開口部と対向する位置で大きさの小さい第２の開口部を得るための第２の溝部と、前記第１の開口部および第２の開口部となる位置のほぼ中間に、一端を回動自在に固着されているとともに、前記一端近傍に前記第１の開口部および第２の開口部を開ける押庄部を備えたタブとから少なくとも構成されていることを特徴とする。
【０００９】
（第２発明）
第２のステイオンタブを備えた缶は、飲料用に使用されるものであり、
ツーピースまたはスリーピースから構成された缶体と、前記缶体の上部に設けられた第１の開口部を得るための第１の溝部と、前記上部に設けられ、前記第１の開口部と対向する位置で大きさの小さい第２の開口部を得るための第２の溝部と、前記上部に設けられ、前記第２の開口部のほぼ中央部に設けられた第３の溝部と、前記第１の開口部および第２の開口部となる位置のほぼ中間に、一端を回動自在に固着されているとともに、前記一端近傍に前記第１の開口部および第２の開口部を開ける押庄部を備えたタブとから少なくとも構成されていることを特徴とする。
【発明の効果】
【００１０】
本発明によれば、ステイオンタブをほぼ１８０度回動して、引き上げることにより、第２の溝部が成形されている部分に第２の開口部を開けることができるので、適度の空気を缶内に入れることができ、缶内の飲料が第１の開口部から自然に出るので、飲み易い。
【００１１】
本発明によれば、最初、ステイオンタブを引き上げることにより、第２の開口部が僅かに形成されて、前記第２の開口部から空気が缶内に入る。その後、前記ステイオンタブを１８０度回動させ、通常の缶を開ける時と同様に、前記ステイオンタブは、引き上げられることにより、前記第１の溝部に沿った第１の開口部が形成され、飲料等の出口となる。
【００１２】
本発明によれば、前記ステイオンタブを回動させるだけで、第２の開口部が設けられ、缶内に空気を一旦送った後に、飲料の出口となる第１の開口部を設けるようにしているため、飲料の出方が自然に出るようになる。
【００１３】
本発明によれば、缶内に炭酸ガス等が入っている飲料の場合であっても、第２の開口部を開けてから、第１の開口部から前記飲料を自然に飲むことができるようになった。
【００１４】
本発明によれば、前記ステイオンタブを回動させるようにした点、および第２の開口部を開ける第２の溝部を設けただけであり、金型を僅かに改良するだけで、飲み心地のよい安価なステイオンタブを備えた缶になった。
【発明を実施するための最良の形態】
【００１５】
（第１発明) 
第１発明のステイオンタブを備えた缶は、飲料用に使用されるとともに、缶を開けた後であっても、タブが分離しないタイプのものである。前記缶の缶体は、たとえば、ツーピースまたはスリービースから構成されている飲料用として、普通のものである。また、前記缶体の上部には、プレスの下死点制御によって成形された第１の溝部があり、前記タブを引き上げることにより、前記一端近傍の押庄部によって、前記第１の溝部に沿って第１の開口部が形成される。すなわち、前記第１の開口部は、前記タブの引き上げにより、前記タブにおける一端の押庄部により、前記第１の溝部に沿った飲料の出口となる。
【００１６】
また、前記タブは、前記缶体の上部において、回動自在に固着されており、少なくとも１８０度方向を変えることができる。前記缶は、前記缶の上部にもう一つの第２の開口部を設けるための第２の溝部が成形されている。前記缶体の上部は、前記第１の開口部と対向した位置に、前記タブの一端の押庄（タブの引き上げ）により第２の開口部を設けるための第２の溝部がプレスの下死点制御によって設けられている。第１発明のステイオンタブを備えた缶は、最初、前記タブを引き上げることにより、一つの第２の開口部が僅かに形成されて、前記第２の開口部から空気が缶内に入る。その後、前記タブを１８０度回動させ、通常の缶を開ける時と同昧に、前記タブは、引き上げられることにより、前記第１の溝部に沿った第１の開口部が形成され、飲料の出口となる。
【００１７】
第１発明は、前記タブを回動させるだけで、第２の開口部を設け、缶内に空気を一旦送った後に、飲料の出口となる第１の開口部を設けるようにしているため、飲料の出方が自然に出るようになる。第１発明は、前記缶内に炭酸ガス等が入った飲料であっても、第２の開口部を開けた後に、第１の開口部から自然に出る前記飲料を飲むことができた。また、前記缶は、前記タブを回動させるようにした点、および第２の開口部を開ける第２の溝部を設けただけであり、金型を僅かに改良するだけで、飲み心地のよい缶になった。
【００１８】
（第２発明）
第２発明のステイオンタブを備えた缶は、第２の溝部の開口部に当たる領域に第３の溝部を設けた点で第１発明と異なっている。第３の溝部の形状は、第２の溝部の中間に一つの線を入れる程度のものが良いが、この形状に限定する必要がない。第３の溝部は、タブの引き上げを容易にするとともに、缶内に程よい空気を入れるための形状にする。
【実施例１】
【００１９】
図１は本発明の実施例であるステイオンタブを備えた缶を説明するための斜視図である。図２は本発明の実施例であるステイオンタブを備えた缶を説明するためのもので、（イ）は正面図、（ロ）は平面図である。図３は本発明の実施例であるステイオンタブを備えた缶における第２の開口部を開ける場合を説明するためのもので、（イ）は正面図、（ロ）は平面図である。図１から図３において、缶１１は、たとえば、ツーピースからなり、底部１１１から一体になった筒部１２と、前記筒部１２を塞ぐために上部に設けられた上面部１１２と、その周囲に設けられたりリブ１１３とがら構成されている。
【００２０】
ステイオンタブ１１４は、第１の開口部１１８の一端（上面部のほぼ中央部）に回動取付部１１６が設けられている。また、前記第１の開口部１１８は、プレスの下死点制御により、第１の溝部１１７が設けられ、前記ステイオンタブ１１４を矢印方向で、点線と符号１１４′で示すように引き上げることにより、前記第１の溝部１１７に沿って形成される。
【００２１】
第２の開口部１２０は、前記第１の開口部１１８より小さめで、かつ、上面部１１２のほぼ中心を対照にして設けられている。また、前記第２の開口部１２０は、前記第２の開口部１２０に沿った下死点制御により成形された第２の溝部１１９が設けられる。前記第２の溝部１１９は、前記ステイオンタブ１１４をほぼ１８０度回動した後、前記同様に、指で点線１１４′の位置に引き上げることにより、押庄部１１５の押庄により第２の溝部１１９に沿って第２の開口部１２０を形成する。
【００２２】
従来の回動取付部１１６は、回動できるが、回勅を目的としていないため、必ずしも容易ではなかった。本発明の回動取付部１１６は、必要に応じて、１８０度回動させて、第２の開口部１２０を開ける必要があるため、従来のものと比較して、回動か容易になるように作製されている。また、第２の開口部１２０の形状は、第１の開口部１１８より、小さく、かつ、必要に応じて、中央部にもう一つの溝部を成形することができる。さらに、前記第２の開口部１２０は、形状を第１の開口部１１８と同じにする必要がなく、任意の形状にすることができる。
【００２３】
本発明のステイオンタブを備えた缶を開ける場合を説明する。第２の開口部１２０から空気を入れる必要がない場合、通常と同様に、ステイオンタブ１１４を引き上げることにより、第１の開口部１１８が開けられ、前記第１の開口部１１８から飲料を飲む。次に、第２の開口部１２０を開けたい場合、前記ステイオンタブ１１４をほぼ１８０度回転させた後、前記ステイオンタブ１１４を引き上げることにより、第２の溝部１１９に沿って第２の開口部１２０が開けられ、空気が入る。その後、前記ステイオンタブ１１４は、１８０度回動され、元の位置に戻り、通常と同じように指等で引き上げることにより、第１の開口部１１８から飲料を飲むことができる。
【産業上の利用可能性】
【００２４】
以上、本発明の実施例を詳述したが、本発明は、前記実施例に限定されるものではなく、特許請求の範囲に記載された事項を逸脱することがなければ、種々の設計変更を行うことが可能である。本実施例に記載されている缶は、スリーピース等、公知または周知の技術によって作製できる。また、ステイオンタブおよび開口部、下死点制御によってできる溝部等は、公知または周知の技術によって作製できる。ステイオンタブおよび開口部等の形状は、特許請求の範囲に記載された事項を逸脱しないかぎりの変形を含む。
【００２５】
実施例は、ビール缶について説明したが、飲料、たとえば、ビールを含む酒類、ジュース類、お茶類（コーヒー、日本茶、その他の国のお茶も含む）、水、炭酸ガス入りの飲料等を入れるステイオンタブを備えた缶に適用できる。また、缶およびステイオンタブの材質は、前記同様に、公知または周知のものを使用することができる。
【図面の簡単な説明】
【００２６】
【図１】本発明の実施例であるステイオンタブを備えた缶を説明するための斜視図である。（実施例１）
【図２】本発明の実施例であるステイオンタブを備えた缶を説明するためのもので、（イ）は正面図、（ロ）は平面図である。
【図３】図３は本発明の実施例であるステイオンタブを備えた缶における第２の開口部を開ける場合を説明するためのもので、（イ）は正面図、（ロ）は平面図である。
【図４】（イ）および（ロ）は本出願人が開発したステイオンタブを備えたビール缶を説明するためのもので、（イ）は正面図、（ロ）は平面図である。
【符号の説明】
【００２７】
１１・・・缶
１１１・・・底部
１２・・・筒部
１１２・・・上面部
１１３・・・リブ
１１４・・・ステイオンタブ
１１４′・・・ステイオンタブ
１１５・・・押庄部
１１６・・・回動取付部
１１７・・・第１の溝部
１１８・・・第１の開口部
１１９・・・第２の溝部
１２０・・・第２の開口部
【図１】
2007062758.tif 000003
【図２】
2007062758.tif 000004
【図３】
2007062758.tif 000005
【図４】
2007062758.tif 000006